(57)【要約】【課題】省エネ性を向上させるとともに、リライト媒体にカールが発生することを抑制できるリライト媒体洗浄消去装置を提供すること。【解決手段】筐体１１に内設された洗浄手段１３によってリライト媒体４を洗浄し、リライト媒体の汚れを除去する。洗浄されたリライト媒体４は、プリヒータ１５に加熱されて乾燥する。プリヒータ１５に加熱されたリライト媒体４は、媒体温度センサ１６によって媒体温度が測定される。制御手段３０は、媒体温度センサ１６が測定した媒体温度に基づいて消去ヒータ１８のヒータ温度を制御する。消去ヒータ１８は、制御手段３０によって制御されたヒータ温度で、プリヒータ１５で加熱されたリライト媒体４の印字面を加熱し、リライト媒体４から情報を消去する。【選択図】図２
2009226763.tif 000002
【特許請求の範囲】
【請求項１】
リライト媒体を洗浄する洗浄手段と、
前記洗浄手段によって洗浄された前記リライト媒体を加熱するプリヒータと、
前記プリヒータで加熱された前記リライト媒体の媒体温度を測定する媒体温度センサと、
前記プリヒータで加熱された前記リライト媒体を加熱して前記リライト媒体から情報を消去する消去ヒータと、
前記媒体温度センサが測定する前記媒体温度に基づいて、前記消去ヒータの消去ヒータ温度を制御する制御手段と、
前記洗浄手段と前記プリヒータと前記媒体温度センサと前記消去ヒータを収容する筐体と、
を有することを特徴とするリライト媒体洗浄消去装置。
【請求項２】
請求項１に記載するリライト媒体洗浄消去装置において、
前記制御手段は、前記リライト媒体を乾燥させ、且つ、前記リライト媒体から前記情報を消去可能な温度に、前記消去ヒータ温度を制御する
ことを特徴とするリライト媒体洗浄消去装置。
【発明の詳細な説明】
【技術分野】
【０００１】
本発明は、リライト媒体を洗浄液で除去した後、リライト媒体を消去ヒータで加熱してリライト媒体の情報を消去するリライト媒体洗浄消去装置に関する。
【背景技術】
【０００２】
例えば、車両組立ラインには、顧客ニーズに応じて様々な仕様の車両が連続的に組立ラインに搬入される。この搬入車両に適合する部品の組み付け、調整、品質チェック作業が各工程で実施され、各工程で作業すべき情報を生産指示ビラ（作業内容をプリントした書類）にて作業内容を確認して作業する。従って、車両組み付け工程内だけでも、多量の紙が使用されていた。
【０００３】
近年、環境負荷（二酸化炭素排出量、紙廃材、立木伐採）の低減を目的に、繰り返し印字と消去を行うことが可能なリライト媒体が開発され、実用に至っている。リライト媒体は、プラスチックシートを積層し、熱可逆性記録材料を含む発色材を中間層に封入して、表面層に摩擦抵抗を小さくするコーティング材を塗布した複合材である。
【０００４】
例えば、リライト媒体を車両製造工程の生産指示ビラとして運用する場合、リライト媒体は以下のように使用される。
先ず、リライト媒体をプリンタに供給し、プリンタ内の印字ヘッドでリライト媒体の印字面を印字温度で加熱する。リライト媒体は、常温に戻ると、印字ヘッドで加熱された部分が初期状態（例えば白色状態）から発色状態（例えば黒色状態）に変化し、生産指示に関する情報が印字面に表示される。
【０００５】
リライト媒体は、把持治具に取り付けられて各工程へ送られる。各工程では、作業員が、リライト媒体を把持治具に取り付けた状態又は取り外して作業内容を確認し、部品の組み付け、調整、品質チェックなどの作業を行う。作業員は、作業が終了すると、マーカーペン（洗浄により筆記痕を消去できるもの）で作業内容や品質チェック結果などをリライト媒体に記述する。そして、そのリライト媒体を回収して先頭工程へ送る。
【０００６】
生産指示の伝達を完了して使用済みとなったリライト媒体は、消去ヒータで加熱されて、情報を消去される。そして、プリンタに再度供給されて、次の生産指示を印字面に印字される。
【０００７】
ここで、リライト媒体は、例えば把持治具に着脱する際に、作業員の軍手に付着した油などが表面に付着する。また、リライト媒体には、品質チェック時のマーカーペン痕が残っている。リライト媒体が汚れていると、印字ヘッドや消去ヒータの熱量が適正にリライト媒体に印加されないため印字不良や消去不良の原因となる。さらに、汚れが印字ヘッドやリライト媒体を搬送するための搬送ローラ等に転写すると、その汚れが次のリライト媒体の表面に再転写されて他のきれいなリライト媒体を汚す恐れがある。
【０００８】
このため、リライト媒体は、情報消去・印字を行う前に洗浄機で洗浄される。洗浄したリライト媒体に水分が残っていると、印字ヘッドや消去ヒータの熱量が適正にリライト媒体に印加されないため印字不良や消去不良の原因になるので、リライト媒体は乾燥機で乾燥されてから情報消去・印字が行われる。
【０００９】
乾燥したリライト媒体であっても、プリンタの内部温度が低いと、消去ヒータの熱がプリンタ内部の空気に奪われて、消去不良を生じる恐れがある。そのため、プリンタの内部温度が低い場合に、消去ヒータをプレヒートして内部温度を上昇させてから情報消去を行うプリンタが提案されている（例えば、特許文献１参照）。
【００１０】
【特許文献１】特開２０００−１９４８０５号公報
【発明の開示】
【発明が解決しようとする課題】
【００１１】
しかしながら、従来のプリンタは、リライト媒体から情報を消去する必要があるか否かにかかわらず、稼働中に消去ヒータに印加電圧を印加して消去ヒータ温度を一定に保っていた。しかも、内部温度が低い場合には、消去ヒータのプリヒートまで行っていた。消去ヒータの加熱は、情報消去を行う必要がない場合には無駄である。よって、消去ヒータは、余分な熱負荷によって寿命が短くなり、定期的に交換する必要があった。交換費用は、消去機能を有するプリンタの設置台数に応じて増大する。更に、消去ヒータを加熱不要な場合にまで加熱するため、消費電力が増大していた。
【００１２】
これに対して、リライト媒体を洗浄する洗浄手段の後に消去ヒータを配置し、リライト媒体の洗浄直後にリライト媒体の乾燥と情報消去を１個の消去ヒータで同時に行うリライト媒体洗浄消去装置が考えられる。これによれば、消去ヒータを無用に加熱しないので、消去ヒータの長寿命化と交換頻度の低減を図ると共に、電力消費量を低減することが可能になる。
【００１３】
ところが、実際に上記リライト媒体洗浄消去装置を製作してリライト媒体を洗浄したところ、リライト媒体にカールが発生した。カールしたリライト媒体は、プリンタに供給されると、搬送異常を多発し、信頼性を満足しない不具合がある。発明者は、リライト媒体にカールが発生する原因が、環境温度や湿潤による影響を消去ヒータ温度の制御対象にしないためと考えた。
【００１４】
具体的に説明すると、消去ヒータは、装置内部の温度やリライト媒体の媒体温度など環境温度の影響を受けて変動する。消去ヒータが環境温度によって所定の消去ヒータ温度まで加熱されないと、リライト媒体の乾燥が不十分になり、印字不良を引き起こす恐れがある。そこで、リライト媒体を十分に乾燥させようとして消去ヒータを情報消去に必要な温度を超えて加熱していた。リライト媒体は、消去ヒータに加熱され過ぎて一部が軟らかくなり、内部応力が不均一となってカールを生じる。
【００１５】
これに対して、消去ヒータと洗浄手段との間に乾燥ファンを設け、湿潤したリライト媒体を乾燥ファンの空気流で乾燥させてから、消去ヒータでリライト媒体の情報を消去することを考えられる。この場合、リライト媒体の湿潤が消去ヒータに与える影響を排除するので、リライト媒体のカールを抑制可能になる。
【００１６】
ところが、消去ヒータは、乾燥ファンの空気流によって冷却され、消去ヒータ温度の制御が不安定になっていた。その上、消去ヒータの発熱効率が低下し、省エネ性が悪かった。
【００１７】
本発明は、上記問題点を解決するためになされたものであり、省エネ性を向上させると共に、リライト媒体にカールが発生することを抑制できるリライト媒体洗浄消去装置を提供することを目的とする。
【課題を解決するための手段】
【００１８】
本発明に係るリライト媒体洗浄消去装置は、次のような構成を有している。
（１）リライト媒体を洗浄する洗浄手段と、前記洗浄手段によって洗浄された前記リライト媒体を加熱するプリヒータと、前記プリヒータで加熱された前記リライト媒体の媒体温度を測定する媒体温度センサと、前記プリヒータで加熱された前記リライト媒体を加熱して前記リライト媒体から情報を消去する消去ヒータと、前記媒体温度センサが測定する前記媒体温度に基づいて、前記消去ヒータの消去ヒータ温度を制御する制御手段と、前記洗浄手段と前記プリヒータと前記媒体温度センサと前記消去ヒータを収容する筐体と、を有する。
【００１９】
（２）（１）に記載の発明において、前記制御手段は、前記リライト媒体を乾燥させ、且つ、前記リライト媒体から前記情報を消去可能な温度に、前記消去ヒータ温度を制御する。
【発明の効果】
【００２０】
上記構成を有するリライト媒体洗浄消去装置は、筐体に内設された洗浄手段によってリライト媒体を洗浄し、リライト媒体に付着した油やマーカーペン痕等の汚れを除去する。洗浄されたリライト媒体は、プリヒータに加熱されて水分を蒸発させる。プリヒータに加熱されたリライト媒体は、媒体温度センサによって媒体温度が測定される。制御手段は、媒体温度センサが測定した媒体温度に基づいて消去ヒータの消去ヒータ温度を制御する。つまり、制御手段は、媒体温度によってリライト媒体の湿潤の程度や環境温度を予測可能になるので、これらを制御対象として消去ヒータ温度を適正に制御する。消去ヒータは、制御手段によって制御された消去ヒータ温度で、リライト媒体を加熱して情報を消去する。
【００２１】
このように、本発明のリライト媒体洗浄消去装置は、リライト媒体をプリヒータで加熱して乾燥させてから、消去ヒータが適正な消去ヒータ温度に加熱されてリライト媒体から情報を消去する。そのため、リライト媒体が、加熱され過ぎて一部が軟らかくなり、内部応力が不均一になることがなく、カールを生じない。また、本発明のリライト媒体洗浄消去装置は、消去ヒータを無用に加熱しないので、消去ヒータの長寿命化と交換頻度の低減、電力消費量の低減を図り、省エネ性を向上させることができる。
【００２２】
特に、制御手段が、リライト媒体を乾燥させ、且つ、リライト媒体から情報を消去可能な温度に、消去ヒータの消去ヒータ温度を制御するので、リライト媒体を過大に加熱して損なうことを防止できる。
【発明を実施するための最良の形態】
【００２３】
次に、本発明に係るリライト媒体洗浄消去装置の一実施形態について図面を参照して説明する。図１は、リライト媒体洗浄消去装置１の全体構成図である。
リライト媒体洗浄消去装置１は、媒体給紙装置２と媒体回収トレイ３との間に配置されている。
【００２４】
媒体給紙装置２には、油汚れやマーカーペン痕が付着した使用済みのリライト媒体４（以下「媒体４」という。）が印字面を上にして収納されている。媒体４は、複数のプラスチックシートや発色材、保護フィルム等を積層した複合材であって、軟質のシート状をなす。リライト媒体洗浄消去装置１は、印字面を上にした媒体４を媒体給紙装置２から供給され、媒体４の洗浄と情報消去を行った後、媒体４を媒体回収トレイ３に排出する。
【００２５】
媒体回収トレイ３に回収された媒体４は、図示しないプリンタに供給され、印字面に新しい情報を印字される。印字方法は、従来技術と同様なので説明を省略する。
【００２６】
図２は、図１に示すリライト媒体洗浄消去装置１の内部概略構成図である。
リライト媒体洗浄消去装置１は、箱状の筐体１１を備える。筐体１１には、媒体給紙装置２から媒体４を入力する入力口１１ａと、媒体回収トレイ３へ媒体４を排出する排出口１１ｂとが設けられている。筐体１１の内部には、入力口１１ａと排出口１１ｂとの間に掻き込みローラ１２，１２と洗浄ブラシ１３，１３と吸収ローラ１４，１４と排出ローラ２０が回転可能に配置され、媒体給紙装置２から入力口１１ａへ供給された媒体４を各ローラの送りによって排出口１１ｂへ自動搬送し、排出口１１ｂから媒体回収トレイ３へ排出するようになっている。
【００２７】
掻き込みローラ１２，１２は、媒体４の搬送経路を挟んで対向配置されている。掻き込みローラ１２，１２は、互いに接触し、入力口１１ａに供給された媒体４を筐体１１内へ引き込むように相対的に回転される。
【００２８】
洗浄ブラシ１３，１３は、「洗浄手段」の一例である。洗浄ブラシ１３は、媒体４の表面から僅かに離れて媒体４の表面に摺接するように、媒体４の搬送経路を挟んで対向配置されている。洗浄ブラシ１３，１３の表面には、洗浄液を噴出する噴出口が複数設けられている。洗浄ブラシ１３，１３は、噴出口から洗浄液を噴出しながら相対的に回転し、媒体４を洗浄するようにされている。
【００２９】
吸収ローラ１４，１４は、媒体４の搬送経路上に対向配置されている。吸収ローラ１４，１４は、互いに接触し、媒体４に付着した洗浄液を吸収しながら媒体４を排出ローラ２０側へ送り出すように、相対的に回転される。
【００３０】
排出ローラ２０は、排出口１１ｂの内側に配置されている。排出ローラ２０と吸収ローラ１４，１４の間には、ガイド部材１７が配置され、吸収ローラ１４，１４から排出ローラ２０へ媒体４を折り曲げたり変形させたりせずに搬送できるようにしている。ガイド部材１７の下方には、プリヒータ１５と媒体温度センサ１６が配置されている。
【００３１】
プリヒータ１５は、ガイド部材１７の下面を切り欠いて設けた切欠部の真下に、ガイド部材１７を通過する媒体４の裏面に近接するように配置されている。プリヒータ１５は、ガイド部材１７の切欠部を介して、洗浄ブラシ１３によって洗浄された媒体４を加熱する。プリヒータ１５には、プリヒータ温度センサ２１が取り付けられ、プリヒータ温度が測定されている。
【００３２】
媒体温度センサ１６は、プリヒータ１５の下流側に、媒体４に接触しないように配置されている。媒体温度センサ１６は、媒体４を傷つけないように、媒体４の媒体温度を非接触で測定する。
【００３３】
排出ローラ２０には、媒体４の搬送経路を挟んで消去ヒータ１８が対向配置されている。消去ヒータ１８は、排出ローラ２０によって排出口１１ｂへ案内される媒体４の印字面に近接するように配置されている。消去ヒータ１８は、洗浄ブラシ１３によって洗浄された媒体４を加熱して媒体４から情報を消去するものである。消去ヒータ１８には、消去ヒータ温度センサ１９が取り付けられ、消去ヒータ温度が測定されている。
【００３４】
筐体１１は、洗浄機内温度センサ２２が内設され、内部温度が測定されている。
【００３５】
このようなリライト媒体洗浄消去装置１は、制御手段３０によって動作を制御される。
【００３６】
図３は、図２に示すリライト媒体洗浄消去装置１の制御ブロック図である。尚、本実施形態では、掻き込みローラ１２洗浄ブラシ１３吸収ローラ１４を複数備えるが、図３では、これらを一つずつ記載して図面を簡略化している。
リライト媒体洗浄消去装置１は、制御ＣＰＵ３１にＲＯＭ３２とＲＡＭ３３が接続されて制御手段３０が構成されている。
【００３７】
制御ＣＰＵ３１は、データの加工演算を行い、リライト媒体洗浄消去装置１を制御するものである。ＲＯＭ３２は、不揮発性メモリであって、各種プログラムやデータを記憶している。ＲＡＭ３３は、揮発性メモリであって、プログラム実行中にデータ等を記憶する。
【００３８】
制御ＣＰＵ３１には、デジタル−アナログ信号変換装置（Ｄ／Ａ）４１，４２，４３，４４，４５，４６とアンプ５１，５２，５３，５４，５５，５６を介して掻き込みローラ１２、洗浄ブラシ１３、吸収ローラ１４、プリヒータ１５、消去ヒータ１８、排出ローラ２０が接続されている。制御ＣＰＵ３１から出力された制御信号は、Ｄ／Ａ４１〜４６においてデジタル信号からアナログ信号に変換され、アンプ５１〜５６で増幅されて、掻き込みローラ１２、洗浄ブラシ１３、吸収ローラ１４、プリヒータ１５、消去ヒータ１８、排出ローラ２０にそれぞれ供給される。
【００３９】
また、制御ＣＰＵ３１には、アナログ−デジタル変換装置（Ａ／Ｄ）６１，６２，６３，６４を介して媒体温度センサ１６、消去ヒータ温度センサ１９、プリヒータ温度センサ２１、洗浄機内温度センサ２２が接続されている。制御ＣＰＵ３１は、媒体温度センサ１６、消去ヒータ温度センサ１９、プリヒータ温度センサ２１、洗浄機内温度センサ２２の測定値をＡ／Ｄ６１〜６４にてアナログ信号からデジタル信号に変換して、入力する。
【００４０】
図４は、図２に示すリライト媒体洗浄消去装置１の動作を説明するフローである。
リライト媒体洗浄消去装置１の電源が投入されると、制御手段３０は、制御ＣＰＵ３１が図４に示すプログラムをＲＯＭ３２から読み出し、それをＲＡＭ３３にコピーして実行する。これにより、制御手段３０は、電源が切られるまでリライト媒体洗浄消去装置１に媒体４の洗浄と情報消去を繰り返し行わせる。
【００４１】
すなわち、制御手段３０は、ステップ１（以下「Ｓ１」と略記する。）において、洗浄機内温度センサ２２の測定値を入力し、筐体１１の内部温度を計測する。すなわち、環境温度を取得する。
【００４２】
そして、制御手段３０は、Ｓ２において、Ｓ１で測定した内部温度に基づいて、プリヒータ１５と消去ヒータ１８に印加する所定の印加電圧をそれぞれ算出する。筐体１１の内部温度が低い場合には、プリヒータ１５と消去ヒータ１８を設定温度にするためには、印加電圧を大きくしなければならず、逆に、筐体１１の内部温度が高い場合には、プリヒータ１５と消去ヒータ１８を設定温度にするためには、印加電圧が小さくて済むからである。
【００４３】
そして、制御手段３０は、Ｓ３において、Ｓ２で算出した所定の印加電圧をプリヒータ１５と消去ヒータ１８にそれぞれ印加して、プリヒータ１５と消去ヒータ１８を加熱する。
【００４４】
そして、制御手段３０は、Ｓ４において、プリヒータ温度センサ２１の測定値を入力し、プリヒータ１５のプリヒータ温度を計測する。そして、制御手段３０は、Ｓ５において、消去ヒータ温度センサ１９の測定値を入力し、消去ヒータ１８の消去ヒータ温度を計測する。
【００４５】
そして、制御手段３０は、Ｓ６において、Ｓ４，５で計測したプリヒータ温度と消去ヒータ温度がそれぞれ設定温度以上か否かを判断する。プリヒータ温度の設定温度と消去ヒータ温度の設定温度は、予めＲＯＭ３２に記憶されている。よって。制御手段３０は、プリヒータ温度センサ２１と消去ヒータ温度センサ１９から取得したプリヒータ温度と消去ヒータ温度を、ＲＯＭ３２の設定温度と比較し、プリヒータ温度と消去ヒータ温度がそれぞれ設定温度以上か否かを判断する。
【００４６】
例えば、消去ヒータ温度が設定温度に到達していないと、媒体４の情報を完全に消去できない恐れがある。また、プリヒータ温度が低いと、消去ヒータ１８が媒体４を十分に乾燥させることができず、媒体４が自然乾燥時にカールする恐れがある。そこで、制御手段３０は、プリヒータ１５のプリヒータ温度と、消去ヒータ１８の消去ヒータ温度の何れかが設定温度に到達していない場合には（Ｓ６：Ｎｏ）Ｓ２へ戻り、さらにプリヒータ１５と消去ヒータ１８に印加する所定の印加電圧を算出し直す。
【００４７】
一方、制御手段３０は、プリヒータ１５のプリヒータ温度と、消去ヒータ１８の消去ヒータ温度がそれぞれ設定温度以上になったら（Ｓ６：Ｙｅｓ）、Ｓ７において、ウォーミングアップを完了する。
【００４８】
そして、制御手段３０は、Ｓ８において、掻き込みローラ１２、洗浄ブラシ１３、吸収ローラ１４、排出ローラ２０に制御信号を出力して回転させ、媒体４の搬送を開始する。このとき、洗浄ブラシ１３、吸収ローラ１４、排出ローラ２０は、単一駆動源でギヤ、チェーンを介して同期回転させることで、媒体４をスムーズに搬送するようにしても良い。入力口１１ａには、媒体４が媒体給紙装置２から印字面を上にして供給される。媒体４は、掻き込みローラ１２によって筐体１１内へ引き込まれ、洗浄ブラシ１３へ搬送される。媒体４は、洗浄液をかけられながら印字面と裏面を洗浄ブラシ１３に擦られ、油やマーカーペン痕などの汚れを除去される。媒体４は、洗浄ブラシ１３から吸収ローラ１４へ搬送され、表面に付着した洗浄液が吸収ローラ１４に吸収されて湿潤状態になる。媒体４は、吸収ローラ１４からガイド部材１７へ送り出され、プリヒータ１５によって裏面側から加熱される。
【００４９】
制御手段３０は、Ｓ９において、媒体温度センサ１６から測定値を入力し、媒体４の媒体温度を計測する。媒体温度センサ１６は、媒体４が上方を通過する際に、プレヒータ１５で加熱された媒体４の媒体温度を非接触で測定している。
【００５０】
制御手段３０は、Ｓ１０において、Ｓ９にて計測した媒体４の媒体温度に基づいて、消去ヒータ目標温度を算出すると共に、プリヒータ目標温度を算出する。
【００５１】
「消去ヒータ目標温度」とは、媒体４を乾燥させ、且つ、媒体４から情報を消去することが可能な温度をいう。例えば、媒体４の情報消去に必要な消去ヒータ温度が、７６〜９６℃という幅を有し、最適消去ヒータ温度が９０℃とする。この場合、制御手段３０は、媒体４の媒体温度が設定温度（例えば４０℃）より低いときには、消去ヒータ目標温度を最適消去ヒータ温度より低くする一方、媒体４の媒体温度が設定温度（例えば４０℃）より高いときには、消去ヒータ目標温度を最適消去ヒータ温度より高くする。
【００５２】
これに対して、「プリヒータ目標温度」とは、媒体４の軟化を防止しつつ媒体４を乾燥させることが可能な温度をいう。媒体４を過大に加熱して変形させることを防止するためである。「プリヒータ目標温度」は、例えば、筐体１１の内部温度が低く、媒体４の媒体温度が設定温度（例えば４０℃）より低い場合には、「プリヒータ目標温度」をプリヒータ１５の設定温度より高くする。一方、例えば、筐体１１の内部温度が高く、媒体４の媒体温度が設定温度（例えば４０℃）より高い場合には、「プリヒータ目標温度」をプリヒータ１５の設定温度より低くする。
【００５３】
このようにして「プリヒータ目標温度」と「消去ヒータ目標温度」を算出したら、制御手段３０は、Ｓ１１において、算出した「プリヒータ目標温度」と「消去ヒータ目標温度」に基づいて、プリヒータ１５と消去ヒータ１８に印加する印加電圧を算出する。
【００５４】
そして、制御手段３０は、Ｓ１２において、Ｓ１１にて算出した印加電圧をプリヒータ１５と消去ヒータ１８に印加して、プリヒータ１５のプリヒータ温度と消去ヒータ１８の消去ヒータ温度を制御する。
【００５５】
そして、制御手段３０は、Ｓ１３において、プリヒータ温度センサ２１と消去ヒータ温度センサ１９の測定値を入力し、プリヒータ１５のプリヒータ温度と消去ヒータ１８の消去ヒータ温度を計測する。
【００５６】
そして、Ｓ１４において、Ｓ１３にて計測したプリヒータ温度と消去ヒータ温度を、Ｓ１０で算出した「プリヒータ目標温度」と「消去ヒータ目標温度」にそれぞれ比較し、プリヒータ温度と消去ヒータ温度を「プリヒータ目標温度」と「消去ヒータ目標温度」に制御できているか否かを判断する。
【００５７】
プリヒータ温度と消去ヒータ温度が「プリヒータ目標温度」と「消去ヒータ目標温度」でない場合には（Ｓ１４：Ｎｏ）、プリヒータ温度と消去ヒータ温度を、Ｓ１０で算出した「プリヒータ目標温度」と「消去ヒータ目標温度」に制御できていないので、Ｓ１１に戻って、印加電圧を算出し直す。
【００５８】
一方、プリヒータ温度と消去ヒータ温度が「プリヒータ目標温度」と「消去ヒータ目標温度」である場合には（Ｓ１４：Ｙｅｓ）、プリヒータ温度と消去ヒータ温度を、Ｓ１０で算出した「プリヒータ目標温度」と「消去ヒータ目標温度」に制御できているので、Ｓ１５において、媒体４を排出口１１ｂから媒体回収トレイ３へ排出する。媒体４は、消去ヒータ１８を通過する際に印字面側を加熱され、情報が消去される。
【００５９】
その後、制御手段３０は、Ｓ８へ戻って、媒体給紙装置２から次の媒体４を筐体１１内へ引き込み、上記と同様にして洗浄と情報消去とを行う。
【００６０】
以上説明したように、本実施形態のリライト媒体洗浄消去装置１は、筐体１１に内設された洗浄ブラシ１３によって媒体４を洗浄し、媒体４に付着した油やマーカーペン痕等の汚れを除去する。洗浄された媒体４は、プリヒータ１５に加熱されて水分を蒸発させる。プリヒータ１５に加熱された媒体４は、媒体温度センサ１６によって媒体温度が測定される。制御手段３０は、媒体温度センサ１６が測定した媒体温度に基づいて消去ヒータ１８の消去ヒータ温度を制御する。つまり、制御手段３０は、媒体温度によって媒体４の湿潤の程度や環境温度を予測可能になるので、これらを制御対象として消去ヒータ温度を適正に制御する。消去ヒータ１８は、制御手段３０によって制御された消去ヒータ温度で、媒体４を加熱して情報を消去する。
【００６１】
このように、本実施形態のリライト媒体洗浄消去装置１は、媒体４をプリヒータ１５で加熱して乾燥させてから、消去ヒータ１８が適正な消去ヒータ温度に加熱されて媒体４から情報を消去する。そのため、媒体４が、消去ヒータ１８に加熱され過ぎて一部が軟らかくなり、内部応力が不均一になることがなく、カールを生じない。また、本実施形態のリライト媒体洗浄消去装置１は、消去ヒータ１８を無用に加熱しないので、消去ヒータ１８の長寿命化と交換頻度の低減、電力消費量の低減を図り、省エネ性を向上させることができる。
【００６２】
特に、制御手段３０が、媒体４を乾燥させ、且つ、媒体４から情報を消去可能な温度に、消去ヒータ１８の消去ヒータ温度を制御するので、媒体４を過大に加熱して損なうことを防止できる。
【００６３】
リライト媒体洗浄消去装置１は、ガイド部材１７がリライト媒体４の印字面を覆い、プリヒータ１５による加熱時に媒体４から発生する気化熱が筐体１１内へ拡散しにくくしている。そのため、１個のプリヒータ１５でも媒体４を効率よく加熱して乾燥させ、省エネ性を高めることができる。特に、ガイド部材１７が熱伝達率が良い金属の場合には、媒体４全体を加熱することが可能になり、より一層乾燥効率及び省エネ性を向上させることができる。
【００６４】
リライト媒体洗浄消去装置１は、プリヒータ１５と消去ヒータ１８が媒体４の異なる面（裏面と印字面）を加熱するので、加熱によって生じる媒体４の内部応力の均一化を図り、媒体４のカール等の変形や損傷を防止できる。
また、リライト媒体洗浄消去装置１は、消去ヒータ１８をプリヒータ１５の下流側に配置しているので、媒体４を乾燥と情報消去に適正な温度で順次加熱することが可能である。よって、媒体４は、乾燥不良や消去不良を発生せず、過大加熱により変形や損傷を生じない。
【００６５】
本発明は、上記実施の形態に限定されることなく、色々な応用が可能である。
（１）例えば、上記実施形態では、ローラ状の洗浄ブラシ１３で媒体４の表面を擦って洗浄したが、洗浄形態はこれに限定されない。
【００６６】
（２）例えば、上記実施形態では、リライト媒体洗浄消去装置１が印字面を上にして媒体４を搬送するようにしたが、印字面を下や横にして媒体４を搬送するようにしても良い。この場合には、リライト媒体洗浄消去装置は、印字面側に消去ヒータ１８を配置し、裏面側にプリヒータ１５と媒体温度センサ１６を配置すると良い。
【００６７】
（３）例えば、上記実施形態では、洗浄ブラシ１３とプリヒータ１５と媒体温度センサ１６と消去ヒータ１８を定位置に配置し、媒体４を移動させるようにした。これに対して、例えば、筐体１１の定位置に媒体４を配置し、洗浄ブラシ１３やプリヒータ１５、媒体温度センサ１６、消去ヒータ１８を媒体４に対して移動させるように設けても良い。
【００６８】
（４）上記実施形態では、軟質性の媒体４について説明したが、硬質性のカード状リライト媒体であっても良い。
（５）上記実施形態では、車両製造工程にリライト媒体を運用したが、乗り物定期券や磁気カードなどに運用しても良い。
【００６９】
（６）上記実施形態では、プリヒータ１５を媒体４の裏面側にのみ配置したが、媒体４の両側にプリヒータ１５を配置して、乾燥時間の短縮を図っても良い。
（７）上記実施形態のプリヒータ１５と消去ヒータ１８を、加熱ローラにして加熱機能に加えて搬送機能を持たせても良い。
【００７０】
（８）上記実施形態では、プリヒータ温度と消去ヒータ温度を媒体温度に基づいて細かくフィードバック制御した。これに対して、例えば、プリヒータ温度と消去ヒータ温度をいくつかの段階温度に分け、各段階温度と媒体温度とを関連付けてＲＯＭ３２に記憶させても良い。この場合、制御手段３０は、媒体温度センサ１６が測定した媒体温度を引数としてＲＯＭ３２からプリヒータ温度と消去ヒータ温度の段階温度をそれぞれ読み出し、プリヒータ温度と消去ヒータ温度を読み出した段階温度に制御するので、応答時間を短縮できる。
【図面の簡単な説明】
【００７１】
【図１】本発明の実施形態に係り、リライト媒体洗浄消去装置の全体構成図である。
【図２】図１に示すリライト媒体洗浄消去装置の内部概略構成図である。
【図３】図２に示すリライト媒体洗浄消去装置の制御ブロック図である。
【図４】図２に示すリライト媒体洗浄消去装置の動作を説明するフローである。
【符号の説明】
【００７２】
１  リライト媒体洗浄消去装置
４  リライト媒体
１３  洗浄ブラシ（洗浄手段）
１５  プリヒータ
１６  媒体温度センサ
１８  消去ヒータ
３０  制御手段
【図１】
2009226763.tif 000003
【図２】
2009226763.tif 000004
【図３】
2009226763.tif 000005
【図４】
2009226763.tif 000006